(57)【特許請求の範囲】
【請求項１】
被写体となる顔を入れる開口部が正面に形成された筐体内に、その顔に可視光を照射する照明光源が配され、開口部と照明光源の間に、前記照明光源から照射された光を拡散させて顔の正面側を照明する光拡散板が設けられると共に、光拡散板に形成された透孔を通してその顔を撮像する撮像カメラがその背面側に配されて成る顔面撮像装置において、
前記筐体に入れた顔の頭頂側非観察領域に押し当てることにより頭部の位置を規制する前後上下位置調整可能な頭部支持部材と、顔の正面及び左右頬部が前記撮像カメラに正対するように撮像方向に応じて顎の位置を規制する顎載台とで、被写体となる顔を撮像カメラの合焦点に保持する顔面保持機構を備えると共に、
前記照明光源と撮像カメラの間には、照明光源から照射される光のうち前記透孔を透過せずに撮像カメラに入射される光を遮る遮光体が設けられたことを特徴とする顔面撮像装置。
【請求項２】
被写体となる顔を入れる開口部が正面に形成された筐体内に、その顔に照明光を照射する照明光源が配され、開口部と照明光源の間に、前記照明光源から照射された光を拡散させて顔の正面側を照明する光拡散板が設けられると共に、光拡散板に形成された透孔を通してその顔を撮像する撮像カメラがその背面側に配されて成る顔面撮像装置において、
前記照明光源と撮像カメラの間には、照明光源から照射される光のうち前記透孔を透過せずに撮像カメラに入射される光を遮る遮光体が設けられたことを特徴とする顔面撮像装置。
【請求項３】
前記遮光体が、照明光源から撮像カメラ側に発散される光を拡散板側に反射する反射鏡で形成された請求項１又は２記載の顔面撮像装置。
【請求項４】
開口部に入れた顔に紫外光を直接照射する紫外光源と、撮像カメラのフォーカス用補助照明光を直接照射する補助光源が、撮像カメラの撮像エリア外で、且つ、開口部側から見て光拡散板の陰にならない位置に配されてなる請求項１又は２記載の顔面撮像装置。
【請求項５】
前記顎載台に下顎骨の背面側に当接される突起が形成されてなる請求項１又は４記載の顔面撮像装置。
【請求項６】
前記顎載台が、撮像方向に応じて複数の顎載部を配列して成る請求項１又は４記載の顔面撮像装置。
【請求項７】
前記顎載台が、一つの顎載部を撮像方向に応じて左右揺動可能に配して成る請求項１又は４記載の顔面撮像装置。
【請求項８】
前記頭部支持部材が、顔の頭頂側非観察領域を１点で支持すると共に、撮像方向に応じて左右揺動可能に配されて成る請求項１又は４記載の顔面撮像装置。
【請求項９】
前記頭部支持部材が、顔の頭頂側非観察領域を左右２点で支持する請求項１又は４記載の顔面撮像装置。
【請求項１０】
前記照明光源となる色温度可変光源と、その照射光の色温度を検出する色温度検出センサと、検出された色温度に基づいて照明光源の色温度を予め設定された目標色温度に可変調整する制御装置を備えた請求項１記載の顔面撮像装置。
【請求項１１】
前記色温度可変光源として、色温度の異なる光を照射する二種類以上の光源を備えており、各光源の光量比により色温度調節を行なう請求項１０記載の顔面撮像装置。
【請求項１２】
前記照明光源となる照度／色温度可変光源と、その照射光の照度及び色温度を検出する照度センサ及び色温度検出センサと、検出された色温度に基づいて照明光源の照度及び色温度を予め設定された目標照度及び目標色温度に可変調整する制御装置を備えた請求項１記載の顔面撮像装置。
【請求項１３】
前記照度／色温度可変光源として、色温度の異なる光を照射する二種類以上の光源を備えており、各光源の光量比により色温度調節を行なうと共に、光量の和により照度調整を行なう請求項１２記載の顔面撮像装置。
【発明の詳細な説明】
【技術分野】
【０００１】
本発明は、複数の方向から顔を同一撮像条件で撮像することのできる顔面撮像装置に関する。
【背景技術】
【０００２】
例えば、皮膚科・形成外科・整形外科等で皮膚表面及び皮下の治療部位にレーザ光を照射して治療を行うレーザ治療が行われている。
特にニキビ痕治療のように治療部位が顔にあるとき、患者は治療部位を直接見ることができないことから、医師はデジタルカメラにより撮像した画像をコンピュータに取り込んでモニタに映し出すことにより、術前のインフォームドコンセントや、術後の治療効果の確認・患者への説明を行なっている。【０００３】
しかしながら、治療部位を撮像するときは、適当な距離で撮像してしまうため、画像としてみたときの治療部位の大きさも微妙に異なるだけでなく、デジタルカメラの特性上、被写体の明るさはもちろんのこと、周囲の明るさ、背景の色、光線の方向などにより撮像される画像の明るさも異なる。
このため、術前に撮像した画像のみに基づいて治療方法などを説明する術前のインフォームドコンセントを行う場合や、術後に撮像した画像のみに基づいて治療効果の説明をすることはできても、術前術後に撮像した二つの画像は明るさなどが異なることから客観的に比較することができず、的確な説明を行うことが困難であった。【０００４】
そこで出願人は、常に同じ距離／同じ明るさで顔を撮像することができるように、顔を入れる開口部を形成した遮光ボックスに、その顔を撮像する撮像カメラと、開口部に対して紫外線照明光と可視光照明光を択一的に照射する照明装置を内蔵させ、前記開口部の周囲に顔の周囲に当接されて開口部と顔の隙間を塞いで外光の漏れを防ぐフェィスクッションを設けた顔面撮像装置を提案した。
【特許文献１】特開２００４−８１７３５公報
【０００５】
しかしながら、これによれば顔を正面からしか撮像できないため、額から鼻にかけてのＴゾーンや頬正面の肌を撮像することはできるが、頬の側面側の肌を撮像するときに顔の向きを一定にすることはできない。【０００６】
また、顔に照明光を照射させる場合に、照明光源として円環状の蛍光灯やＬＥＤが用いられているが、照明光が顔に直接照射されると部分的にテカリが生じてしまい、撮像された画像から肌の状態を正確に把握することができない。
このため、全体に均一な明るさで照明することが要請されており、本発明者らは、被写体となる顔と照明光源の間に、その照明光源から照射された光を拡散させて顔の正面側を照らす光拡散板を設けた撮像装置を試作した。【０００７】
これにより、顔の肌でテカリが生じることはなくなったが、撮像カメラと照明光源が光拡散板に対して同じ側に位置するので、照明光源から照射された光の一部が撮像カメラに直接入射されたり、光拡散板の背面側で反射した反射光が撮像カメラに入射されることなどにより、画面の一部が弱いハレーションを起こして白っぽく撮像され、画像が不鮮明になるという新たな問題を生じた。
【発明の開示】
【発明が解決しようとする課題】
【０００８】
そこで本発明は、複数の方向から顔を同一撮像条件で撮像できるようにすると共に、顔全体を均一な明るさで照明できるようにし、さらにその際に、撮像画像にハレーションを起こさないで鮮明な画像が得られるようにすることを技術的課題としている。
【課題を解決するための手段】
【０００９】
この課題を解決するために、本発明は、被写体となる顔を入れる開口部が正面に形成された筐体内に、その顔に照明光を照射する照明光源が配され、開口部と照明光源の間に、前記照明光源から照射された光を拡散させて顔の正面側を照明する光拡散板が設けられると共に、光拡散板に形成された透孔を通してその顔を撮像する撮像カメラがその背面側に配されて成る顔面撮像装置において、前記筐体に入れた顔の頭頂側非観察領域に押し当てることにより頭部の位置を規制する前後上下位置調整可能な頭部支持部材と、顔の正面及び左右頬部が前記撮像カメラに正対するように撮像方向に応じて顎の位置を規制する顎載台とで、被写体となる顔を撮像カメラの合焦点に保持する顔面保持機構を備えると共に、
前記照明光源と撮像カメラの間には、照明光源から照射される光のうち前記透孔を透過せずに撮像カメラに入射される光を遮る遮光体が設けられたことを特徴としている。
【発明の効果】
【００１０】
本発明によれば、筐体内で頭部と顎が支持されて、顔が撮像カメラの合焦点に位置決めされる。
このとき頭部支持部材は、肌を観察する場合に画像データとして必要のない毛髪部分などの頭頂側非観察領域に押し当てられるので、必要な画像が支持部材により隠れることがなく、必要な部分全体を撮像することができる。
また、顎載台は、顔の正面及び左右頬部が前記撮像カメラに正対するように撮像方向に応じて顎の位置を規制する。
したがって、顎は顎載台に載せられて顔の向きに応じた位置に支持され、その額が頭部支持部材で支持されるので、撮像カメラに対して、同じ距離、同じ角度で顔を撮像することができる。
このとき、撮像領域を顔よりも小さくしておけば、背景の明るさに影響されないので、同じ明るさで撮像できる。【００１１】
また、照明光源から照射された光が光拡散板で拡散されて顔の正面側全体を均一な明るさで照らすのでテカリが生ずることがない。
さらに、照明光源と撮像カメラの間に、透孔を透過せずに撮像カメラに入射される光を遮る遮光体が設けられているので、照明光源から照射される光のうち撮像カメラ直接に入射される光や、光拡散板の裏面で反射されて撮像カメラに入射される光がカットされることとなり、ハレーションを起こすことなく鮮明な画像が得られる。
ここで、遮光体として反射鏡を用いれば、照明光源から撮像カメラ側に照射される光を拡散板側に反射させることができるので、照射された光を照明光として無駄なく有効に利用することができる。【００１２】
また、顎載台に、下顎骨の背面側に当接される突起を形成すれば、顎を正確に位置決めすることができる。
さらに、顎載台は撮像方向に応じて顎の位置を規制するため、例えば、撮像方向に応じて複数の顎載部を配列したり、一つの顎載部を揺動自在に配したものであってもよい。【００１３】
ここで、頭部支持部材は、顔の頭頂側非観察領域を１点で支持するものを撮像方向に応じて左右揺動可能に配してもよい。
また、頭頂側非観察領域を左右２点で支持するようにすれば、顎と頭部で３点支持され、顔の向きを変えたときでも頭部支持部材を揺動させることなく、極めて安定的に顔を支持することができる。
【発明を実施するための最良の形態】
【００１４】
本例では、複数の方向から顔を同一撮像条件で撮像するという課題を、顔を簡単に撮像カメラの合焦点に保持することができ、しかも、撮像の邪魔にならない顔面保持機構を配することにより実現した。【００１５】
図１は本発明に係る顔面撮像装置の断面図、図２は内部機構を省略して示す一部切欠斜視図、図３は外観正面図、図４は他の実施形態の要部を示す説明図、図５は他の実施形態を示す説明図、図６は照度／色温度制御の一例を示すフローチャートである。
【実施例１】
【００１６】
図１〜図３に示された顔面撮像装置１は、筐体２内に、顔３を撮像する撮像カメラ４が配されて成り、その撮像カメラ４から出力された画像信号をコンピュータ５に取り込んで映し出すことができるようになっている。
筐体２の正面には顔３を入れる開口部６が形成され、その内部には、顔３に可視光を照射する照明光源Ｌが配され、開口部６と照明光源Ｌの間に、照明光源Ｌから照射された光を拡散させて顔３の正面側を照明する乳白色の光拡散板７が設けられると共に、光拡散板７に形成された透孔７ａを通してその顔を撮像する撮像カメラ４がその背面側に配されて成る。
本例では、照明光源Ｌとしては、環状又は直管状の白色発光管Ｗが用られ、撮像カメラ４の光軸を囲むように配されている。【００１７】
そして、照明光源Ｌと撮像カメラ４の間には、照明光源Ｌから照射される光のうち光拡散板７の透孔７ａを透過せずに撮像カメラ４に入射される光を遮る板状の遮光体１５が設けられている。
これにより、照明光源Ｌから光拡散板７を透過し、顔３で反射されて透孔７ａを通ってきた光が撮像カメラ４に入射される。
また、遮光体１５は、照明光源Ｌから撮像カメラ４側に発散される光を光拡散板７側に反射する反射鏡で形成されており、撮像カメラ４の画角に応じてその撮像エリアと交差する部分に透孔１６が穿設され、撮像時に遮光体１５が映り込まないようになっている。【００１８】
また、本例では、撮像カメラ４に同期して紫外光を顔に直接照射するキセノンランプなどの紫外光源ＵＶと、撮像カメラ４のフォーカス用補助照明光を顔に直接照射する赤外ＬＥＤなどの補助光源ＩＲが、撮像カメラ４の撮像エリア外で、且つ、開口部６側から見て光拡散板７の陰にならない位置に配されてなる。【００１９】
なお、紫外光画像を撮像する場合、照明光源Ｌから照射される可視光はノイズとなるので照明光源Ｌは消灯しておくため、オートフォーカス機能を有する撮像カメラ４を用いた場合に測定光量不足により動作しなくなるおそれがある。
このため、紫外画像撮像前のフォーカス実行時のみ赤外ＬＥＤからなる補助光源ＩＲを点灯させてオートフォーカスを動作させ、フォーカスが完了して紫外画像を撮像する際に補助光源ＩＲを消灯させている。
これにより、紫外線画像は紫外線の反射光のみを画像として取り込むことができるため、紫外線以外のノイズを低く抑えることができる。
なお、補助光源ＩＲとしては、赤外ＬＥＤに限らず、白色ＬＥＤや可視光電球を用いてもよい。さらに、補助光源ＩＲを点灯させる代わりに、紫外線画像撮像前のフォーカス実行時に照明光源Ｌを点灯させてオートフォーカスを動作させ、フォーカスが完了して紫外画像を撮像する際に消灯させるようにしてもよい。【００２０】
紫外線画像は、「老化角質」の部分（図示せず）が白色を呈し、「脂性肌」の部分がオレンジ色を呈し、識別容易であるが、「普通肌」「乾性肌」「メラニン」の夫々は紫系で識別し難い。
このため、コンピュータ５で画像処理を施し、可視光画像と紫外線画像の差分に基づき明るさやコントラストを調整して、白色の「老化角質」、オレンジ色の「脂性肌」、明るい「普通肌」と、中間トーンの「乾性肌」と、暗い「メラニン」を識別可能な合成画像を出力する。【００２１】
開口部６には、被写体となる顔３を撮像カメラ４の合焦点に保持する顔面保持機構８が設けられている。
この顔面保持機構８は、筐体２内に入れた顔３の頭頂側非観察領域に押し当てることにより頭部の位置を規制する前後上下位置調整可能な頭部支持部材９と、顔の正面及び左右頬部が前記撮像カメラに正対するように撮像方向に応じて顎の位置を規制する顎載台１０からなる。【００２２】
頭部支持部材９は、顔３の頭頂側非観察領域を１点で支持する支持シャフト１１を下端に取り付けた上下位置調整軸１２が、筐体２内で左右に揺動するアーム１３に取り付けられて成る。
なお、支持シャフト１１にはその前後位置を調整する前後位置調整ノブ１１ａが設けられ、上下位置調整軸１２には支持シャフト１１の上下位置を調整する上下位置調整ノブ１２ａが設けられている。
ここで頭頂側非観察領域とは、撮像されても皮膚状態を観察する対象とならない領域をいい、例えば毛髪がある場合は毛髪の生え際近傍若しくはこれより頭頂側である。【００２３】
また、顎載台１０は、正面及び左右４５°の撮像方向に応じて合計３つの顎載部１０ａ〜１０ｃを、正面及び左右両側に中心角４５°で配列して形成されている。
顎載台１０の各顎載部１０ａ〜１０ｃには、顎を載せた時に下顎骨の背面側に当接される突起１４が形成されている。【００２４】
以上が本発明の一例構成であって、次にその作用について説明する。
まず、頭部支持部材９の支持シャフト１１を正面に位置させてその前後上下位置を調整作業を行い、顔３が撮像カメラ４の合焦点に保持されるように頭部支持部材９を非観察領域外に位置決めしておく。
この位置は個人によって大きな差があるものではないので、一旦位置決めしたものを撮像するたびに位置決めし直す必要はない。【００２５】
そして、正面の顔画像を撮像するときは、支持シャフト１１を正面に位置させた状態で、顔を開口部６に入れ、顔３の頭頂側を支持シャフト１１の先端に当接させ、顎を中央の顎載部１０ｂに載せて下顎骨の背面側を突起１４に当接させれば、顔を正面に向けた状態で上下２点が位置決めされるので、常に一定条件で撮像できる。【００２６】
また、右４５°の顔画像を撮像するときは、頭部支持部材９のアーム１３を揺動させて支持シャフト１１を左４５°に揺動させてから、顔３を左４５°に向けて開口部６に入れ、その頭頂側を支持シャフト１１の先端に当接させ、顎を左側の顎載部１０ａに載せて下顎骨の背面側を突起１４に当接させれば、顔の右４５°を正面に向けた状態で上下２点が位置決めされるので、右４５°の顔画像を常に一定条件で撮像できる。【００２７】
さらに、左４５°の顔画像を撮像するときは、頭部支持部材９のアーム１３を揺動させて支持シャフト１１を右４５°に揺動させてから、顔３を右４５°に向けて開口部６に入れ、その頭頂側を支持シャフト１１の先端に当接させ、顎を左側の顎載部１０ｃに載せて下顎骨の背面側を突起１４に当接させれば、顔の左４５°を正面に向けた状態で上下２点が位置決めされるので、左４５°の顔画像を常に一定条件で撮像できる。【００２８】
なお、撮像時に照明光源Ｌから正面側に照射された光は光拡散板７で拡散され、顔全体が均一の明るさで照明され、テカリなどが生じることがない。
そして、顔３で反射されて透孔７ａを通ってきた光が撮像カメラ４に入射される。
また、照明光源Ｌから背面側に照射されて撮像カメラ４に向かう光や、光拡散板７の裏面で反射された光は、照明光源Ｌと撮像カメラ４の間に配された遮光体１５により遮られるので、撮像された画像が弱いハレーションを起こして白っぽくなることもなく、鮮明な画像が得られる。
しかも、遮光体１５として反射鏡を用いれば、光拡散板７に向って反射され、顔を照らす照明光として有効に利用される。【００２９】
このようにして、顔３の撮像方向に応じた位置に顎が支持されると共に、その額が頭部支持部材９で支持されるので、撮像カメラ４に対して、同じ距離、同じ角度で顔を撮像することができる。
このとき頭部支持部材９は、肌を観察する場合に画像データとして必要のない毛髪部分などの頭頂側非観察領域に押し当てられるので、必要な部分が支持部材９により隠れることがない。
また、撮像領域を顔よりも小さくしておけば、背景の明るさに影響されないので、同じ明るさで撮像できる。
【実施例２】
【００３０】
図４は本発明の他の実施形態を示し、本例では、頭部支持部材２１が揺動不能に設けられており、顔３の頭頂側非観察領域を左右２点で支持する二本の突起２２Ｒ，２２Ｌが先端に形成された支持シャフト２３を下端に取り付けた上下位置調整軸２４からなり、この頭部支持部材２１が、図１に示す顔面撮像装置１の頭部支持部材９に替えて筐体２の天井部に固定されている。
支持シャフト２３にはその前後位置を調整する前後位置調整ノブ２３ａが設けられ、上下位置調整軸２４には支持シャフト２３の上下位置を調整する上下位置調整ノブ２４ａが設けられている。
この頭部支持部材２１が、図１に示す顔面撮像装置１の頭部支持部材９に替えてその天井部に固定されている。【００３１】
そして、正面の顔画像を撮像するときは、予め頭部支持部材２１の支持シャフト２３の前後上下位置を調整作業して、頭部支持部材２１を非観察領域外に位置決めしておく。
この状態で、顔３を開口部６に入れ、顔３の正面頭頂側（両眼の頭頂側）を突起２２Ｒ，２２Ｌの先端に当接させ、顎を中央の顎載部１０ｂに載せて下顎骨の背面側を突起１４に当接させれば、顔３の頭頂側左右２点と顎が３点で安定的に支持され、常に一定条件で撮像できる。【００３２】
また、右４５°の顔画像を撮像するときは、顔３を左４５°に向けて開口部６に入れ、顔の右側面頭頂側（右眼・右耳の頭頂側）を突起２２Ｒ，２２Ｌの先端に当接させ、顎を左側の顎載部１０ａに載せて下顎骨の背面側を突起１４に当接させれば、顔の右側面頭頂側左右２点と顎が３点で安定的に支持され、常に一定条件で撮像できる。【００３３】
また、左４５°の顔画像を撮像するときは、顔３を右４５°に向けて開口部６に入れ、顔の左側面頭頂側（左眼・左耳の頭頂側）を突起２２Ｒ，２２Ｌの先端に当接させ、顎を右側の顎載部１０ｃに載せて下顎骨の背面側を突起１４に当接させれば、顔の左側面頭頂側左右２点と顎が３点で安定的に支持され、常に一定条件で撮像できる。【００３４】
このように、本例によれば、顔３が頭部支持部材２１及び顎載台１０に三点支持されていたので、撮像カメラ４に対して、同じ距離、同じ角度で顔を撮像することができる。
このとき頭部支持部材２１は、肌を観察する場合に画像データとして必要のない毛髪部分などの頭頂側非観察領域に押し当てられるので、必要な部分が支持部材２１により隠れることがない。
また、撮像領域を顔よりも小さくしておけば、背景の明るさに影響されないので、同じ明るさで撮像できる。【００３５】
なお、上述の説明では、顎載台１０として複数の顎載部１０ａ〜１０ｃを形成した場合について説明したが、一つの顎載部を円弧状にスライドさせて左右（例えば左右４５°）に揺動可能に配する場合でも良い。
【実施例３】
【００３６】
図５は他の実施形態を示し、図１と共通部分は同一符号を付して詳細説明を省略する。
本例の顔面撮像装置３１は、照明光源Ｌの経時的変化や交換により照明光の照度／色温度が変化したときでも、これを予め設定された一定の照度／色温度に維持できるようになっている。
撮像カメラ４でカラー画像を撮像する場合に、照明光の色温度が異なると同じ色の被写体を撮像しても色が変化してしまい、照度よりも画像に与える影響が大きい。
特に、色温度を調整するためには、そのたびにホワイトバランスをとって、そのバランスデータに基づいて撮像された画像データの色補正を行なわなければならない。【００３７】
そこで、本例では、照明光源Ｌとなる照度／色温度可変光源と、その照射光の照度及び色温度を検出する照度センサＳＬ及び色温度検出センサＳＴと、検出された色温度に基づいて照明光源の照度及び色温度を予め設定された目標照度及び目標色温度に可変調整する制御装置３２を備えた。
照明光源Ｌとして、色温度の異なる光を個別に照射する二つの蛍光灯（光源）３３Ｈ及び３３Ｌを備え、蛍光灯３３Ｈの色温度は目標色温度ＣＴ０より高く、蛍光灯３３Ｌの色温度は目標色温度ＣＴ０より低く設定されている。
制御装置３２の入力側には、照度センサＳＢ及び色温度検出センサＳＴが接続されており、出力側には各蛍光灯３３Ｈ、３３Ｌの安定器（図示せず）が接続されて、前記各センサＳＢ及びＳＴの検出データに基づいて照度／色温度制御を行なうようになされている。【００３８】
図６は、制御装置３２における制御手順の一例を示すフローチャートである。
まず、スイッチがオンされると制御開始され、ステップＳＴＰ１で例えばタイマにより所定時間（１０分）経過するのを待つことにより蛍光灯が安定するまで待機し、次いで、ステップＳＴＰ２で色温度検出センサＳＴにより照明光源Ｌの相関色温度ＣＴＭを測定し、ステップＳＴＰ３で目標色温度ＣＴ０と比較する。
測定値ＣＴＭが許容範囲より小さい場合は、ステップＳＴＰ４に移行して安定器（図示せず）に制御信号を出力し、色温度の高い蛍光灯３３Ｈを明るくして色温度の低い蛍光灯３３Ｈを暗くするように光量比を調整し、逆に、測定値ＣＴＭが許容範囲より大きい場合は、ステップＳＴＰ５に移行して安定器（図示せず）に制御信号を出力し、色温度の高い蛍光灯３３Ｈを暗くし色温度の低い蛍光灯３３Ｈを明るくするように光量比を調整してからステップＳＴＰ３に戻る。
そして、測定値ＣＴＭが許容範囲内であるときはステップＳＴＰ６に移行する。【００３９】
ステップＳＴＰ６では、照度検出センサＳＢにより照明光源Ｌの照度ＢＭを測定し、ステップＳＴＰ７に移行して目標照度Ｂ０と比較する。
測定値ＢＭが許容範囲より低い場合は、ステップＳＴＰ８に移行して各蛍光灯３３Ｈ及び３３Ｌの光量比を維持したまま光量の和が大きくなるように安定器を制御し、逆に、測定値ＢＭが許容範囲より高い場合は、ステップＳＴＰ９に移行して各蛍光灯３３Ｈ及び３３Ｌの光量比を維持したまま光量の和が小さくなるように安定器を制御してから、ステップＳＴＰ７に戻る。
そして、測定値ＣＴＭが許容範囲内であるときはステップＳＴＰ２に戻って、処理を継続するので、照度及び色温度は目標値の許容範囲内に維持される。【００４０】
なお、上述の説明では、照度と色温度の双方を調整するようにした場合について説明したが、照度に応じて撮像カメラ４の絞りの開度をコントロールするようにすれば、必ずしも照明光源Ｌの照度を調整する必要はなく、色温度のみをコントロールすれば足りる。
また、照明光源Ｌとして色コントロールが可能な一つの光源を用いてもよく、その場合は、照射光の色をコントロールすることにより色温度を目標色温度に一致させればよい。【００４１】
以上述べたように、本発明によれば、例えば、顔３を正面、左右４５°の三方向から撮像する場合に、顔３の向きを変えて開口部６から筐体２内に入れれば、頭部支持部材９（２１）又は顎載台１０からなる顔面保持機構８により顔が撮像カメラ４の合焦点に保持されるので、筐体２内に入れることにより、その顔３を複数の方向から同一撮像条件で撮像することができるという大変優れた効果がある。
【産業上の利用可能性】
【００４２】
本発明は、皮膚科・形成外科・整形外科等で皮膚表面及び皮下の治療部位にレーザ光を照射するレーザ治療を行う際に、術前のインフォームドコンセントや、術後の治療効果の確認・患者への説明を行なうための画像データを提供する用途に用いることができる。
【図面の簡単な説明】
【００４３】
【図１】本発明に係る顔面撮像装置の断面図。
【図２】内部機構を省略して示す一部切欠斜視図。
【図３】外観正面図。
【図４】他の実施形態の要部を示す説明図。
【図５】他の実施形態を示す説明図。
【図６】照度／色温度制御の一例を示すフローチャート。
【符号の説明】
【００４４】
１    顔面撮像装置
２    筐体
３    顔
４    撮像カメラ
５    コンピュータ
６    開口部
７    光拡散板
８    顔面保持機構
９    頭部支持部材
１０    顎載台
１０ａ〜１０ｃ  顎載部
１１    支持シャフト
１１ａ  前後位置調整ノブ  
１２    上下位置調整軸  
１２ａ  上下位置調整ノブ
１３    アーム
１４    突起
１５    遮光体
Ｌ      照明光源
【図１】
0004615514.tif 000002
【図２】
0004615514.tif 000003
【図３】
0004615514.tif 000004
【図４】
0004615514.tif 000005
【図５】
0004615514.tif 000006
【図６】
0004615514.tif 000007